(57)【要約】【課題】  フィルタを室内機本体から取り外す作業を行わずに、表面に付着した塵埃清掃作業を省力化する空気調和機を提供する。【解決手段】  室内空気を空調するための室内熱交換器および室内ファンを横長の室内機内に配置し、前記熱交換器へ流入する空気の塵埃を捕集する着脱自在のフィルタを配置した室内機において、前記フィルタの表面をステンレス、酸化チタン等の金属皮膜処理、またはスパッタリングを施し、前記フィルタを振動させることで、フィルタから塵埃を除去し、塵埃受けにて集塵することができる。この集塵受けを清掃することで、フィルタを室内機から取り外す必要がなくなり、フィルタ掃除の省力化を行うことができる。【選択図】  図２
2007113859.tif 000002
【特許請求の範囲】
【請求項１】
室内空気を空調するための室内熱交換器および室内ファンを横長の室内機内に配置し、前記熱交換器へ流入する空気の塵埃を捕集するフィルタを配置した室内機において、前記フィルタの表面をステンレス、酸化チタン等の金属皮膜処理、またはスパッタリングを施し、前記フィルタを振動させる振動手段と、振動手段によりフィルタから剥離落下した塵埃を集塵する塵埃受けを設けたことを特徴とした空気調和機。
【請求項２】
空気の吹出口に、電気的に回動可能な上下風向板を備え、前記フィルタ振動手段により、フィルタから塵埃を除去する際に、前記上下風向板を制御し、前記室内ファンにより吹出した空気を再び室内機へ循環させることを特徴とした請求項１記載の空気調和機。
【請求項３】
前記塵埃受け内を清掃する第１の除塵手段により、塵埃受け内の塵埃を、室内機内に設けた着脱自在な１箇所もしくは複数の集塵ボックスに集めることを特徴とした請求項１記載あるいは請求項２記載の空気調和機。
【請求項４】
前記集塵ボックス内の塵埃を外部の電気掃除機等の吸引手段により、清掃可能とした請求項１記載あるいは請求項２記載の空気調和機。
【請求項５】
前記集塵ボックス内の塵埃を利用者に定期的に清掃させることを目的として、集塵ボックスの清掃を促す表示を設け、かつ清掃を促す表示があるにも関わらず集塵ボックスが清掃されない場合にはフィルタの振動による塵埃除去を行なわない制御を有することを特徴とした請求項１記載あるいは請求項２記載の空気調和機。
【請求項６】
前記集塵ボックス内の塵埃を、室内の空気を換気するための換気ファンにより、室外へ排出することを特徴とした請求項１記載あるいは請求項２記載の空気調和機。
【発明の詳細な説明】
【技術分野】
【０００１】
本発明は空気調和機に係り、特にフィルタの清掃機構に関するものである。
【背景技術】
【０００２】
空気調和機の室内機には、室内空気吸込口から熱交換器へ取り入れられる空気中の塵埃を取り除くためにフィルタを設けている。このフィルタに塵埃が付着したままの状態を放置すると、空気調和機の能力が低下し、空調効率が低下する。さらに雑菌等の繁殖により臭いの発生源になる場合もある。そこで、一般にこのフィルタは着脱可能となっており、利用者が取り外して清掃できる構造となっている。しかしながら、通常空気調和機は高所に取付けられるため、フィルタを取り外すためには踏み台などにより作業する必要があり、清掃作業が敬遠されやすいという問題があった。
【０００３】
本発明はこのような状況を顧みて、利用者のフィルタ清掃の省力化を進めるためになされたものである。この種の従来技術として特開２００５−１４７５４６号、特開２００４−２８４８７号、特開平５−１８７６５４号が知られている。
【０００４】
特許文献１はフィルタ表面を左右に移動可能な吸引ノズルを移動させながら吸引装置を運転し、フィルタ表面に付着した塵埃を除去するものである。
【０００５】
特許文献２はブラシを内臓したダストボックスを設け、フィルタを挟み込み構造とし、フィルタがダストボックス内を通過際に付着した塵埃を除去するものである。
【０００６】
特許文献３はロール状の循環式フィルタを用い、その一端を振動させることで付着した塵埃を除去するものである。
【０００７】
【特許文献１】特開２００５−１４７５４６号公報
【特許文献２】特開２００４−２８４８７号公報
【特許文献３】特開平５−１８７６５４号公報
【発明の開示】
【発明が解決しようとする課題】
【０００８】
特許文献１では、フィルタ表面を左右に移動する吸引ノズルを平滑に移動させるために部品点数が多くなってしまうという問題がある。
【０００９】
特許文献２では、ブラシとフィルタがお互いにこすられるため、ブラシに塵埃が絡みついたり、ブラシによりフィルタが変形してしまうなどの問題があった。
【００１０】
特許文献３では、フィルタをロール状の循環式としているため、空気調和機に吸い込まれる室内空気は、熱交換器で空調されるまで２枚以上のフィルタを通過するため、フィルタ全体の通風抵抗が上がってしまい、空気調和機として効率が低下してしまうという問題がある。
【００１１】
本発明が解決しようとする課題は、空気調和機としての効率低下をさせることなくフィルタに付着した塵埃を除去する部品点数の少ないフィルタ清掃装置を備えた空気調和機を提供することにある。
【課題を解決するための手段】
【００１２】
本発明が解決しようとする課題は、室内空気を空調するための室内熱交換器および室内ファンを横長の室内機内に配置し、前記熱交換器へ流入する空気の塵埃を捕集するフィルタを配置した空気調和機において、フィルタの表面をステンレス、酸化チタン等の金属皮膜処理、またはスパッタリングを施し、このフィルタを振動させる振動手段と、振動手段により除去された塵埃塵埃受けにより集塵することで達成できる。
【発明の効果】
【００１３】
請求項１記載の発明によれば、表面をステンレス、酸化チタン等の金属皮膜処理、またはスパッタリングを施したフィルタに付着した塵埃を振動させることで、フィルタから塵埃を除去し、塵埃受けにて集塵することができる。この集塵受けを清掃することで、フィルタを室内機から取り外す必要がなくなり、フィルタ掃除の省力化を行うことができる。これにより本発明の空気調和機は、フィルタに付着した塵埃を除去することができる。
【００１４】
請求項２記載の発明によれば、付着した塵埃を除去するためにフィルタを振動させる際に、室内機吹出し口に設けた上下風向板を制御し、室内機から室内ファンにより吹出した空気を再び室内機へ循環させるため、フィルタから振動手段により遊離した塵埃が利用者の居住空間へ舞い散ることを防止することができる。
【００１５】
請求項３記載の発明によれば、表面をステンレス、酸化チタン等の金属皮膜処理、またはスパッタリングを施したフィルタに付着した塵埃を振動させることで、フィルタから塵埃を除去し、塵埃受けにて集塵し、さらに塵埃受け内の塵埃を清掃する第２の除埃手段により、着脱自在な集塵ボックスに集めることができる。この着脱自在な集塵ボックスを利用者が定期的に取り出し、集塵ボックス内を清掃することで、フィルタを室内機から取り外す必要がなくなり、フィルタ掃除の省力化を行うことができる。これにより本発明の空気調和機は、フィルタに付着した塵埃を除去することができる。
【００１６】
請求項４記載の発明によれば、集塵ボックスへ外部の電気掃除機等の吸引口を差し込むだけで、集塵ボックスを室内機本体から取り外す必要がなくなることから、利用者は高所での作業を行う必要がなくなり、フィルタ掃除の省力化を行うことができる。
【００１７】
請求項５記載の発明によれば、集塵ボックス内にフィルタから除去された塵埃が充填される前に、利用者に集塵ボックス内の清掃を表示にて促すことができる。集塵ボックス内の清掃を促しているにもかかわらず、清掃されない場合には、フィルタを振動による塵埃除去を行わないため、集塵ボックス内が塵埃にて充填されてしまうことがない。
【００１８】
請求項６記載の発明によれば、換気用のファンにて屋外へ塵埃を除去することができるため、フィルタ掃除の省力化を行うことができる。
【発明を実施するための最良の形態】
【００１９】
以下、本発明の一実施例を図面を用いて説明する。
【００２０】
図１は本発明における空気調和機の一実施例による室内機の断面図、図２、図３は一実施例によるフィルタ振動手段の部品配置図であり、図４は一実施例による室内機の上下風向板の制御位置による空気の流れの説明図、図５は一実施例による室内機の構成図である。
【００２１】
図１符号１で総括的に示すのは空気調和機の室内機であり、室内空気を空調するための室内熱交換器７、横長の室内機１内に配置した室内ファン８、室内熱交換器７へ流入する空気の塵埃を捕集する着脱自在のフィルタ５を配置している。フィルタ５の表面はステンレス、酸化チタン等の金属皮膜処理、またはスパッタリングを施している。そして室内換器７の下部には露受皿９が設けられている。
【００２２】
このように構成された空気調和機の作用について説明する。フィルタ振動手段について図２を用いて説明する。図２はフィルタ５、室内熱交換器７、露受皿９と周囲の部品の位置関係を示したものである。表面をステンレス、酸化チタン等の金属皮膜処理、またはスパッタリングを施した着脱自在のフィルタ５を振動させるモータ（図示せず）が作動すると回転運動がギア２１に伝えられ、ギア２１の回転運動がフィルタ引掛り部５ａを通し、フィルタ５の上下運動に変換される。フィルタ５は鉛直上方向の運動についてはギア２１の回転速度により制御され、鉛直下方向の運動については重力によるものとなる。鉛直下方向の運動終了時はフィルタに大きな加速度が加えられることになる。一方、フィルタは表面をステンレス、酸化チタン等の金属皮膜処理、またはスパッタリングが施してあるため、フィルタ上に捕集された塵埃は、容易に遊離するため、フィルタ鉛直下方向運動終了時の加速度により、フィルタ５から遊離し、塵埃受け６に集塵される。
【００２３】
次に図４を用いてフィルタ振動時おける上下風向板制御について説明する。上述したフィルタ振動時においては、フィルタに加速度を加えフィルタ上の塵埃を遊離させるため、利用者の居住空間へ遊離した塵埃が舞い上がる可能性がある。そこで、室内機１の空気の吹出口１１に、電気的に回動可能な上下風向板１２を備え、上下風向板１２を制御することで、室内ファン８により吹出した空気を再び室内機へ循環させる。これにより、居住空間へ塵埃が舞い上がることを抑制することが可能となる。この制御は空気調和機が冷房、暖房などの運転中に行うだけでなく、停止中においても室内ファン８、上下風向板１２を制御し行うことができる。
【００２４】
さらに図５を用いて塵埃受け６内に集塵された塵埃の処理方法の一実施例を説明する。図５はフィルタ５、塵埃受け６、室内熱交換器７、露受皿９と周囲の部品の位置関係を示したものである。室内機１内の塵埃受け６内の塵埃は第２の除塵手段において室内機１に設けた着脱自在な集塵ボックス５２に集められる。第２の除塵手段は、塵埃受け６内に沿って平行移動するブラシ５１により構成される。ブラシの並進運動は、例えば、回転運動を並進運動へ変換するウォームギア等を用いれば容易に実現できる。並進運動するブラシ５１により、集塵ボックス５２へ塵埃を集め、この集塵ボックス５２内を利用者が定期的に清掃すればよい。集塵ボックス５２は、１個所もしくは室内機１の据付位置を考慮して複数設けてもよい。
【００２５】
図５にて説明した方法は、集塵ボックス５２を利用者が定期的に清掃するものであるが、掃除機などの外部の吸引手段を室内機１内の集塵ボックスに直接差し込むなどで吸引してもよい。このような利用者へ集塵ボックス内を清掃させる時期を促すために室内機１、またはリモコン（図示せず）へ表示ランプを設けることにより集塵ボックスが充填される前に清掃を促すことができる。この際、表示ランプで利用者に清掃を促しているにもかかわらず、利用者が清掃しない場合には、フィルタ振動による除塵を行わない制御とすることで、集塵ボックス内が塵埃等で充填されることを防ぐことができる。
【００２６】
また、利用者が定期的な清掃を省力化する手段としては、室内居住空間を換気する手段として、室内機に設けている換気ファンを利用して、屋外へ集塵ボックス内の塵埃を排出してもよい。
【００２７】
フィルタ振動手段については、図２を用い上下運動の例を説明したが、前後運動の例を図３を用いて説明する。表面をステンレス、酸化チタン等の金属皮膜処理、またはスパッタリングを施した着脱自在のフィルタ５を振動させるモータが作動するとカム３１に回転運動が伝えられ、カム３１の回転運動により、フィルタ５の前後運動に変換される。前後運動でも上下運動と同じように、フィルタは表面をステンレス、酸化チタン等の金属皮膜処理、またはスパッタリングが施してあるため、フィルタ上に捕集された塵埃は、容易に遊離するため、フィルタの前後運動時の加速度により、フィルタ５から遊離し、塵埃受け６に集塵される。
【図面の簡単な説明】
【００２８】
【図１】本発明に係る空気調和機の室内機断面図。
【図２】フィルタ上下振動手段の部品配置図。
【図３】フィルタ前後振動手段の部品配置図。
【図４】上下風向板の制御位置における空気の流れの説明図。
【図５】振動により除塵された塵埃の処理方法の説明図。
【符号の説明】
【００２９】
１…室内機、２…キャビネット、３…化粧枠、４…フロントグリル、５…フィルタ、５ａ…フィルタ引掛り部、６…塵埃受け、７…熱交換器、８…室内ファン、９…露受皿、１０ａ…空気吸込口、１０ｂ…空気吸込口、１１…空気吹出口、１２…上下風向板、１３…左右風向板、１４…据付板、２１…ギア、３１…カム、５１…ブラシ、５２…集塵ボックス。
【図１】
2007113859.tif 000003
【図２】
2007113859.tif 000004
【図３】
2007113859.tif 000005
【図４】
2007113859.tif 000006
【図５】
2007113859.tif 000007